(57)【要約】【課題】アコースティックのピアノに近い鍵タッチ感を簡易な構成で実現するとともに、鍵タッチ感の事後的な調整を行うことも可能な鍵盤装置及び電子鍵盤楽器を提供する。【解決手段】鍵盤シャーシと、鍵盤シャーシに上下方向に搖動可能に取り付けられた複数の鍵３２と、複数の鍵３２それぞれに設けられ、鍵側磁石５を着脱自在に収容可能な磁石収容部３２７と、磁石収容部３２７の下方に配置され、鍵側磁石５と磁力により相互に反発し合うシャーシ側磁石４とを有している。【選択図】図２
2015206955.tif 000002
【特許請求の範囲】
【請求項１】
鍵盤シャーシと、
前記鍵盤シャーシに上下方向に搖動可能に取り付けられた複数の鍵と、
前記複数の鍵それぞれに設けられ、第１の磁石を着脱自在に収容可能な磁石収容部と、
前記磁石収容部の下方に配置され、前記第１の磁石と磁力により相互に反発し合う第２の磁石と、
を有していることを特徴とする鍵盤装置。
【請求項２】
前記複数の鍵の前記磁石収容部に収容される前記第１の磁石は、低音側の鍵ほど磁力による反発力が強く、高音側ほど磁力による反発力が弱くなるように配置されていることを特徴とする、請求項１に記載の鍵盤装置。
【請求項３】
前記複数の鍵には、ほぼ同じ位置に前記磁石収容部が配置されており、
前記第１の磁石は、前記磁石収容部内における収容位置を変えることで低音側の鍵ほど磁力による反発力が強く、高音側ほど磁力による反発力が弱くなるように調整されることを特徴とする請求項２に記載の鍵盤装置。
【請求項４】
前記磁石収容部は、前記鍵の側面に開口を有する凹部であることを特徴とする請求項１から請求項３のいずれか一項に記載の鍵盤装置。
【請求項５】
前記磁石収容部は、前記鍵の上面に形成された凹部であることを特徴とする請求項１から請求項３のいずれか一項に記載の鍵盤装置。
【請求項６】
請求項１から請求項５のいずれか一項に記載の鍵盤装置と、
前記鍵盤を内部に収容する楽器ケースと、
を備えることを特徴とする電子鍵盤楽器。
【発明の詳細な説明】
【技術分野】
【０００１】
本発明は、鍵盤装置及び電子鍵盤楽器に関するものである。
【背景技術】
【０００２】
従来、アコースティックのピアノと同様に複数の鍵を有する鍵盤を備え、押鍵操作をセンサによって検出し、検出結果に応じた楽音を発生させる電子鍵盤楽器が知られている。
例えば特許文献１には、ハンマシャンクの端部にハンマヘッドが設けられたハンマ部材を各鍵ごとに備え、ハンマヘッドで被打撃体を打撃して、その振動等をセンサにより検出する構成の電子鍵盤楽器が開示されている。
このような電子鍵盤楽器では、演奏者ができるだけアコースティックのピアノに近い感覚で演奏することができるように、アコースティックのピアノと同様の鍵タッチ感を実現することが好ましい。
【０００３】
アコースティックのピアノでは、アクション機構を構成するハンマヘッドとして、低音側には重いものを使用し、高音側に行くに従って軽いものを使用することにより、押鍵時における鍵タッチ感（演奏者が指に感じる荷重）が低音側では重く、高音側に行くに従って徐々に軽くなるように調整している。
このような鍵タッチ感の変化を電子鍵盤楽器において再現するため、例えば特許文献１では、ハンマシャンクの長さを低音側から高音側に行くに従って短くしたり、ハンマシャンクの重さを低音側から高音側に行くに従って軽くしたりすることによって鍵タッチ感を低音側から高音側に行くに従って変化させる構成が提案されている。
このようにハンマ部材の長さや重さを変えて鍵毎の鍵タッチ感に差異を生じさせることによって、電子鍵盤楽器における鍵タッチ感を、アコースティックのピアノの鍵タッチ感により近づけることができる。
【先行技術文献】
【特許文献】
【０００４】
【特許文献１】特開２００２−９９２８０号公報
【発明の概要】
【発明が解決しようとする課題】
【０００５】
しかしながら、特許文献１に記載の構成では、各鍵ごとにハンマ部材のハンマシャンクの長さや重さ等を変えなければならず、ハンマ部材の生産に手間がかかり、部品種類が増えることによる部品管理の手間も増加する。
また、電子鍵盤楽器を組み立てる際も、このようなハンマ部材等を、低音側から高音側に行くに従ってハンマシャンクが短くなる順や軽くなる順で組み付けなければならない。このため、作業工数が増え、電子鍵盤楽器の生産性の低下やコスト高を招くおそれがある。
さらに、特許文献１に記載の構成では、電子鍵盤楽器の製造段階で各鍵の鍵タッチ感が決まってしまい、事後的に演奏者（ユーザ）の好みを反映させて調整することが難しい。
【０００６】
本発明は以上のような事情に鑑みてなされたものであり、アコースティックのピアノに近い鍵タッチ感を簡易な構成で実現するとともに、鍵タッチ感の事後的な調整を行うことも可能な鍵盤装置及び電子鍵盤楽器を提供することを目的とするものである。
【課題を解決するための手段】
【０００７】
前記課題を解決するために、本発明に係る鍵盤装置は、
鍵盤シャーシと、
前記鍵盤シャーシに上下方向に搖動可能に取り付けられた複数の鍵と、
前記複数の鍵それぞれに設けられ、第１の磁石を着脱自在に収容可能な磁石収容部と、
前記磁石収容部の下方に配置され、前記第１の磁石と磁力により相互に反発し合う第２の磁石と、
を有していることを特徴としている。
【０００８】
また、本発明に係る電子鍵盤楽器は、
請求項１から請求項５のいずれか一項に記載の鍵盤装置と、
前記鍵盤装置を内部に収容する楽器ケースと、
を備えることを特徴としている。
【発明の効果】
【０００９】
本発明によれば、アコースティックのピアノに近い鍵タッチ感を簡易な構成で実現するとともに、鍵タッチ感の事後的な調整を行うことができるという効果を奏する。
【図面の簡単な説明】
【００１０】
【図１】本実施形態の電子鍵盤楽器の上面図である。
【図２】（ａ）は、第１の実施形態に係る鍵盤装置の要部断面図であり、（ｂ）は、（ａ）に示す鍵の斜視図である。
【図３】（ａ）は、第１の実施形態の一変形例に係る鍵盤装置の要部断面図であり、（ｂ）は、（ａ）に示す鍵の斜視図である。
【図４】（ａ）は、第１の実施形態の一変形例に係る鍵盤装置の要部断面図であり、（ｂ）は、（ａ）に示す鍵の斜視図である。
【図５】（ａ）は、第２の実施形態に係る鍵盤装置の要部断面図であり、（ｂ）は、（ａ）に示す鍵の斜視図である。
【図６】第２の実施形態の一変形例に係る鍵盤装置の要部断面図である。
【図７】（ａ）から（ｄ）は、第３の実施形態に係る鍵盤装置に適用される鍵側磁石の斜視図である。
【図８】（ａ）から（ｄ）は、第３の実施形態に係る鍵盤装置の要部断面図である。
【図９】（ａ）は、第４の実施形態に係る鍵盤装置の鍵の斜視図であり、（ｂ）は、（ａ）に示す鍵に鍵側磁石を装着した状態を示す斜視図である。
【図１０】（ａ）は、第４の実施形態の一変形例に係る鍵盤装置の鍵の斜視図であり、（ｂ）は、（ａ）に示す鍵に鍵側磁石を装着した状態を示す斜視図である。
【図１１】（ａ）は、第５の実施形態に係る鍵盤装置の鍵の非押鍵時の要部断面図であり、（ｂ）は、（ａ）に示す鍵の押鍵時の要部断面図である。
【図１２】第５の実施形態の一変形例に係る鍵盤装置の鍵の要部断面図である。
【図１３】第５の実施形態の一変形例に係る鍵盤装置の鍵の要部断面図である。
【図１４】第５の実施形態の一変形例に係る鍵盤装置の要部断面図である。
【発明を実施するための形態】
【００１１】
［第１の実施形態］
図１及び図２を参照しつつ、本発明に係る鍵盤装置及びこれを備える電子鍵盤楽器の第１の実施形態について説明する。本実施形態において、電子鍵盤楽器は、例えば電子ピアノやキーボード等である。
なお、以下に述べる実施形態には、本発明を実施するために技術的に好ましい種々の限定が付されているが、本発明の範囲を以下の実施形態及び図示例に限定するものではない。
【００１２】
図１は、本実施形態における電子鍵盤楽器の上面図であり、図２（ａ）は、本実施形態に係る鍵盤装置の要部断面図であり、図２（ｂ）は、鍵の斜視図である。
図１に示すように、電子鍵盤楽器１００は、楽器ケース２と、楽器ケース２の内部に収容された鍵盤装置３とを備えている。
楽器ケース２は、鍵盤装置３を内部に収容する筐体である。
楽器ケース２内には、電子鍵盤楽器１００における発音動作等を制御するための図示しない基板や、スピーカ等が収容されている。
また、図示は省略するが、楽器ケース２の上面等には、電子鍵盤楽器１００の音量や音色等の各種機能を選択指定する複数のスイッチ等を有する図示しない操作スイッチ部が設けられている。
【００１３】
鍵盤装置３は、鍵盤シャーシ３１と鍵盤シャーシ３１に取り付けられた複数の鍵３２とを備えている。
図１に示すように、鍵３２は、複数の白鍵３２ａと黒鍵３２ｂからなる。なお、白鍵３２ａ及び黒鍵３２ｂの構成はほぼ同じであるため、以下においては白鍵３２ａを例として説明する。
【００１４】
図２（ａ）に示すように、鍵盤シャーシ３１は、複数の鍵３２を支持するものである。なお、鍵盤シャーシ３１は、楽器ケース２の下側部分に一体的に設けられていてもよい。
鍵盤シャーシ３１の後端部（図２（ａ）において左端部）には、各鍵３２の後端部（図２（ａ）において左端部）を支持するための鍵支持部３１１が上方に突出して設けられている。
鍵盤シャーシ３１における鍵支持部３１１よりも前側（図２（ａ）において右側）には、
スイッチ基板３１２を搭載するためのスイッチ基板取付部３１３が上方に突出して設けられている。
【００１５】
スイッチ基板３１２の上には、ゴムスイッチ３１４が配置されている。
ゴムスイッチ３１４は、後述する各鍵３２（白鍵３２ａ及び黒鍵３２ｂ）の各スイッチ押圧部３２５に対応してそれぞれ設けられている。
ゴムスイッチ３１４は、例えばゴムシート上に弾性変形可能なドーム状の膨出部が各鍵３２それぞれに対応して形成されたものである。
ゴムスイッチ３１４の膨出部の内部には、図示しない可動接点が設けられており、スイッチ基板３１２の上面には膨出部内の可動接点に対して接離可能に構成された固定接点が設けられている。
ゴムスイッチ３１４は、押鍵操作によって膨出部が押圧されると、膨出部が弾性変形し、その内部に設けられた可動接点がスイッチ基板３１２上に設けられた固定接点に接触する。これにより、押鍵操作に応じたスイッチ信号が出力されるようになっている。
また、ゴムスイッチ３１４の膨出部は、各鍵３２のスイッチ押圧部３２５の下面に当接し、膨出部の弾性復帰力により各スイッチ押圧部３２５を介して各鍵３２を上方に押し上げている。
【００１６】
鍵盤シャーシ３１におけるスイッチ基板取付部３１３よりも前側（図２（ａ）において右側）には、鍵３２をガイドする鍵ガイド３１５が各鍵３２に対応してそれぞれ形成されている。
また、これら鍵ガイド３１５よりも前側（図２（ａ）において右側）であって後述する鍵３２の鍵フック部３２６に対応する位置には、上限ストッパ部３１６が設けられている。本実施形態において、上限ストッパ部３１６の下面には、フェルト等の緩衝材料で形成された緩衝部材３１６ａが配置されている。
各ゴムスイッチ３１４の膨出部の弾性復帰力及び各鍵３２の屈曲部３２２の弾性復帰力により各鍵３２が押し上げられた状態において、上限ストッパ部３１６の緩衝部材３１６ａには、各鍵３２に形成されたＬ字状の鍵フック部３２６が当接する。これにより非押鍵時において各鍵３２は所定の上限位置（初期位置）に位置規制される。
【００１７】
鍵盤シャーシ３１の前部側（図２（ａ）では右側部）であって、後述する鍵３２の磁石収容部３２７の下方位置には、第２の磁石であるシャーシ側磁石４が設けられている。
シャーシ側磁石４は、磁石収容部の下方に配置され磁石収容部３２７に収容されている第１の磁石と磁力により相互に反発し合うものである。
本実施形態では、シャーシ側磁石４は、ゴムシート４１の裏面側（図２（ａ）において下面側）に磁石部４２が設けられたものである。例えばゴムシート４１は鍵３２の配列方向に沿って延在する長尺のシートであり、磁石部４２は、ゴムシート４１における各鍵３２の磁石収容部３２７に対応する位置にそれぞれ配置されている。
なお、シャーシ側磁石４の構成は、ここに例示したものに限定されず、例えば、合成樹脂に磁性材を混ぜ込むことで形成されたマグネットシートでもよい。
シャーシ側磁石４は、鍵３２に対向する側（すなわち、図２（ａ）において上側）の極が磁石収容部３２７に収容されている第１の磁石の極と同じになるように設置される。
例えば、第１の磁石における、シャーシ側磁石４に対向する側（すなわち、図２（ａ）において下側）の極がＮ極である場合には、シャーシ側磁石４は、上側の極がＮ極となるように配置される。
【００１８】
鍵盤シャーシ３１の前端部（図２（ａ）では右側端部）には、白鍵３２ａの前端部における下部側を覆う前カバー部３１７が形成されている。
また、前カバー部３１７とシャーシ側磁石４との間には、白鍵３２ａの下限位置を規制するための鍵ストッパ部３１８が設けられている。鍵ストッパ部３１８は、押鍵操作が行われた際に、鍵３２の下面に付き当てられて、各鍵３２の下限位置を規制する。なお、鍵ストッパ部３１８の上端部には、フェルト等の緩衝材料で形成された緩衝部材が設けられることが好ましい。
【００１９】
鍵３２（図２（ａ）においては、白鍵３２ａ）は、例えば合成樹脂等で形成されており、図２（ａ）に示すように、その内部が中空状となった鍵本体３２１を備えている。
各鍵３２の鍵本体３２１の後端部（図２（ａ）において左端部）には、それぞれ鍵３２を上下方向に変位させるための薄肉形状の屈曲部３２２が撓み変形可能に形成されている（なお、図２（ａ）では、黒鍵３２ｂの屈曲部３２２等の図示を省略している。）。
本実施形態では、各白鍵３２ａの屈曲部３２２は、それぞれ複数の鍵３２の配列方向（図１において左右方向）に沿って各鍵３２を順次連結する共通連結部３２３ａに連設されており、各黒鍵３２ｂの屈曲部３２２は、それぞれ複数の鍵３２の配列方向（図１において左右方向）に沿って各鍵３２を順次連結する共通連結部３２３ｂに連設されている。
これにより、各鍵３２は、複数の白鍵３２ａごと、複数の黒鍵３２ｂごとに、それぞれ一体に形成されている。
【００２０】
なお、鍵盤装置３には、例えば、アコースティックのピアノと同様に、８８個の鍵３２（白鍵３２ａが５２鍵、黒鍵３２ｂが３６鍵）が設けられているが、このうちの全ての白鍵３２ａが１つの共通連結部３２３ａによって連結され、全ての黒鍵３２ｂが１つの共通連結部３２３ｂによって連結されていてもよい。
また、白鍵３２ａ、黒鍵３２ｂをそれぞれいくつかのブロック（例えば白鍵３２ａを１３鍵ずつ４ブロック、黒鍵３２ｂを９鍵ずつ４ブロック等）に分けて、各鍵３２が各ブロックごとに１つの共通連結部３２３ａ，３２３ｂによって連結されていてもよい。
また、共通連結部３２３ａ，３２３ｂを備えず、各鍵３２がそれぞれ個別に鍵盤シャーシ３１に取り付けられる構成としてもよい。
【００２１】
複数の鍵３２は、白鍵３２ａの共通連結部３２３ａを黒鍵３２ｂの共通連結部３２３ｂの上に重ね合わせ、この状態で両者の共通連結部３２３ａ，３２３ｂを鍵盤シャーシ３１の後端部に設けられた鍵支持部３１１上にビス３２４等によって固定される。
これにより、複数の白鍵３２ａおよび複数の黒鍵３２ｂが鍵盤シャーシ３１上に配列された状態で、上下方向に搖動可能に取り付けられる。
すなわち、複数の鍵３２は、白鍵３２ａが押鍵された際には、当該白鍵３２ａが屈曲部３２２の撓み変形によってそれぞれ上下方向に変位、搖動する。また、黒鍵３２ｂが押鍵された際には、当該黒鍵３２ｂが屈曲部３２２の撓み変形によってそれぞれ上下方向に変位、搖動する。
【００２２】
また、各鍵３２の鍵本体３２１には、ゴムスイッチ３１４の膨出部に対応する位置にスイッチ押圧部３２５が設けられている。
スイッチ押圧部３２５は、鍵３２が押鍵操作された際に、ゴムスイッチ３１４の膨出部を押圧して、膨出部を弾性変形させる。
【００２３】
さらに、各鍵３２の鍵本体３２１の下側であって、鍵盤シャーシ３１の上限ストッパ部３１６に対応する位置には、Ｌ字状の鍵フック部３２６が形成されている。
鍵フック部３２６は、上限ストッパ部３１６の緩衝部材３１６ａに下側から当接し、鍵３２が上方向に上がり過ぎないように、鍵３２の上限位置を規制する。
【００２４】
本実施形態において各鍵３２は、鍵盤シャーシ３１に設けられている第２の磁石であるシャーシ側磁石４の上方位置に、第１の磁石を着脱自在に収容可能な磁石収容部３２７を備えている。
図２（ａ）及び図２（ｂ）に示すように、磁石収容部３２７は、鍵本体３２１の側面に開口する凹部である。
本実施形態では、鍵本体３２１の前端面に開口部が形成されている。
なお、図２（ｂ）では、白鍵３２ａのみに磁石収容部３２７が設けられている場合を図示しているが、黒鍵３２ｂにも同様の磁石収容部３２７が設けられていてもよい。
磁石収容部３２７の内部には、鍵側磁石５が収容されている。黒鍵３２ｂにも磁石収容部３２７を設ける場合には、鍵側磁石５として、白鍵３２ａ用のものと黒鍵３２ｂ用のものとがそれぞれ用意されていてもよいし、白鍵３２ａ及び黒鍵３２ｂに同じ大きさ、形状の磁石収容部３２７を設けて、鍵側磁石５を白鍵３２ａ及び黒鍵３２ｂに共通で適用可能なものとしてもよい。
【００２５】
鍵側磁石５は、鍵盤装置３の鍵タッチ感（演奏者が指に感じる荷重）を調整するための第１の磁石である。
本実施形態の鍵側磁石５は、磁石収容部３２７の形状に沿う直方体形状に形成された筐体５１とこの筐体５１の内部に収容された磁石部５２とからなる。
なお、第１の磁石である鍵側磁石５が筐体５１と磁石部５２とで構成されていることは必須の構成ではなく、筐体を備えない磁石のみであってもよい。
図２（ｂ）に示すように、本実施形態では、鍵側磁石５を鍵本体３２１の前端面に形成されている開口部から磁石収容部３２７内に嵌装する。
なお、鍵側磁石５は、磁石収容部３２７内に嵌装した状態において、磁石収容部３２７の開口側に配置される面が鍵本体３２１の前端面とほぼ面一となることが好ましい。
また、鍵側磁石５には、その筐体５１の一側面等に、爪等を引っ掛けることのできる係止部（図示せず）が設けられていることが好ましい。このような係止部を設けることにより、鍵側磁石５を磁石収容部３２７に着脱する際に、係止部に爪を係止させることができ、鍵側磁石５の着脱を円滑に行うことができる。
【００２６】
前述のように、鍵側磁石５は鍵盤シャーシ３１側のシャーシ側磁石４との間で磁力により互いに反発し合うようになっている。このため、演奏者（ユーザ）が押鍵操作を行った際には、鍵側磁石５とシャーシ側磁石４との間の反発力により、鍵本体３２１は上方向（図２（ａ）において上方向）に押し戻され、演奏者（ユーザ）の指には荷重として感じられる。これにより、アコースティックのピアノを演奏する場合に近い鍵タッチ感（演奏者が指に感じる荷重）を実現することができる。
【００２７】
特に本実施形態では、複数の鍵３２の磁石収容部３２７に収容される第１の磁石としての鍵側磁石５は、低音側の鍵３２ほど磁力による反発力が強く、高音側の鍵３２ほど磁力による反発力が弱くなるように配置されている。
すなわち、本実施形態では、鍵側磁石５として磁力の異なるものが複数種類用意されており、磁石収容部３２７内にいずれの鍵側磁石５を収容するかによって鍵３２と鍵盤シャーシ３１との間の反発力を調整することができるようになっている。
これにより、アコースティックのピアノと同様に、低音側の鍵３２ほど重く、高音側の鍵３２ほど軽い鍵タッチ感（演奏者が指に感じる荷重）を得ることができる。
【００２８】
磁力の強さの異なる鍵側磁石５を何種類用意するかは特に限定されない。
前述のように、鍵盤装置３には鍵３２が８８鍵設けられており、そのうち、白鍵３２ａは５２鍵、黒鍵３２ｂは３６鍵であるため、白鍵３２ａ用の鍵側磁石５を５２種類、黒鍵３２ｂ用の鍵側磁石５を３６種類用意すれば、全ての鍵３２の鍵タッチ感を少しずつ変えることができる。また、例えば、磁力の強さの異なる鍵側磁石５を４種類用意して、４段階に鍵タッチ感（演奏者が指に感じる荷重）を調整可能としてもよい。
なお、鍵側磁石５は磁力の強さに応じて筐体５１に識別表示等が施されていることが好ましい。また、磁力の強さに応じて筐体５１の色等を変えてもよい。
【００２９】
次に、本実施形態における鍵盤装置３及びこれを備える電子鍵盤楽器１００の作用について説明する。
【００３０】
まず、鍵盤装置３を組み立てる際には、鍵盤シャーシ３１の上に各鍵３２又は共通連結部３２３ａ，３２３ｂによって一体化、ブロック化された一群の鍵３２を並べ、ビス３２４により鍵盤シャーシ３１の鍵支持部３１１に固定する。
そして、各鍵３２の磁石収容部３２７に鍵側磁石５を嵌装する。このとき、低音側の鍵３２ほど磁力による反発力の強い鍵側磁石５を嵌装し、高音側の鍵３２ほど磁力による反発力の弱い鍵側磁石５を嵌装する。
なお、磁石収容部３２７内に鍵側磁石５を嵌装する際には、鍵本体３２１の先端側を少し持ち上げて鍵盤シャーシ３１の前カバー部３１７よりも上に磁石収容部３２７の開口部分を露出させ、鍵側磁石５を開口部から磁石収容部３２７内に挿入する。
これにより、鍵盤装置３の組み立てが完了する。また、組み立てが完了した鍵盤装置３を楽器ケース２内に収容し、各種スイッチや電子部品等の配線を接続することにより、電子鍵盤楽器１００の組み立てが完了する。
なお、鍵盤装置３の組み立て手順は特に限定されず、例えば、各鍵３２の磁石収容部３２７に鍵側磁石５を嵌装した後に、鍵３２を鍵盤シャーシ３１の上に並べ、鍵盤シャーシ３１の鍵支持部３１１に固定してもよい。
また、鍵盤装置３を楽器ケース２内に収容して電子鍵盤楽器１００としての組み立てを行った後に、各鍵３２の磁石収容部３２７に鍵側磁石５を嵌装してもよい。
また、鍵側磁石５は、製造段階において磁石収容部３２７内に嵌装されていなくてもよく、演奏者（ユーザ）が、自分の好みに応じて鍵側磁石５を選択し、適宜各鍵３２の磁石収容部３２７に嵌装してもよい。
【００３１】
また、本実施形態では、鍵側磁石５は、容易に磁石収容部３２７から着脱可能となっている。
このため、演奏者（ユーザ）は、自分の好みに応じて事後的に鍵側磁石５を自由に入れ替えることが可能である。例えば、手の力の弱い子供等が演奏する場合には、低音側の鍵３２にも磁力による反発力の弱い鍵側磁石５を嵌装してもよいし、一部又は全部の鍵側磁石５を取り外して演奏を行ってもよい。
鍵側磁石５を磁石収容部３２７内から取り出す際には、例えば磁石収容部３２７の開口部に鍵側磁石５と磁力により互いに引き合う極性を有する取り出し用の磁石を近接させて、この取り出し用の磁石に鍵側磁石５を吸着させて磁石収容部３２７の開口部から引き出すようにする。鍵側磁石５の筐体５１の側面等に、爪等を引っ掛けることのできる係止部が設けられている場合には、この係止部に爪等を引っ掛けて引き出すことで、より容易に鍵側磁石５を取り出すことができる。なお、鍵側磁石５の着脱の仕方はここに例示したものに限定されず、各種の手法を用いることができる。
【００３２】
上記のように、各鍵３２の磁石収容部３２７に、低音側の鍵３２ほど磁力による反発力の強い鍵側磁石５を嵌装し、高音側の鍵３２ほど磁力による反発力の弱い鍵側磁石５を嵌装することにより、本実施形態の電子鍵盤楽器１００は、アコースティックのピアノと同様に、低音側の鍵３２ほど重く、高音側の鍵３２ほど軽い鍵タッチ感（演奏者が指に感じる荷重）を得ることができる。
【００３３】
以上のように、本実施形態によれば、鍵盤装置３において、鍵盤シャーシ３１に上下方向に搖動可能に取り付けられた複数の鍵３２は、それぞれ第１の磁石である鍵側磁石５を着脱自在に収容可能な磁石収容部３２７を有し、鍵盤シャーシ３１は、磁石収容部３２７の下方に配置され鍵側磁石５と磁力により相互に反発し合う第２の磁石としてのシャーシ側磁石４を有している。
これにより、鍵３２を押鍵操作した際、鍵側磁石５とシャーシ側磁石４との間の反発力による抵抗（荷重）が演奏者（ユーザ）の指に伝わり、あたかもアコースティックのピアノを演奏しているかのような鍵タッチ感（演奏者が指に感じる荷重）を得ることができる。
特に、本実施形態では、複数の鍵３２の磁石収容部３２７に収容される第１の磁石である鍵側磁石５は、低音側の鍵３２ほど磁力による反発力が強く、高音側の鍵３２ほど磁力による反発力が弱くなるように配置されている。
アコースティックのピアノでは、アクション機構を構成するハンマヘッドとして、低音側には重いものを使用し、高音側に行くに従って軽いものを使用することにより、押鍵時における鍵タッチ感（演奏者が指に感じる荷重）が低音側では重く、高音側に行くに従って徐々に軽くなるように調整されているところ、上記のような構成をとることで、よりアコースティックのピアノに近い鍵タッチ感（演奏者が指に感じる荷重）を電子鍵盤楽器１００において再現することができる。
また、磁石収容部３２７は、鍵３２の側面（本実施形態では鍵３２の前側の端面）に開口を有する凹部である。このため、磁石収容部３２７が鍵盤シャーシ３１の前カバー部３１７によって隠れ、鍵盤装置３の外観を損なわない。
【００３４】
なお、鍵側磁石５の形状等は本実施形態に例示したものに限定されない。
例えば、図３（ａ）及び図３（ｂ）に示すように、鍵側磁石５の磁石部５２を収容する筐体５１における磁石収容部３２７への挿入方向手前側の端面に、鍵３２の前端面を被覆する被覆板５３を設けてもよい。
被覆板５３は、鍵３２の前端面とほぼ同じ大きさ及び形状に形成された薄い板状の部材である。
このような被覆板５３を設けた場合には、鍵側磁石５を磁石収容部３２７に嵌装した際、鍵３２の前端面が被覆板５３によって覆われる。このため、磁石収容部３２７及びこれに嵌め込まれた鍵側磁石５を外部から視認できず、鍵盤装置３の外観上好ましい。
また、鍵側磁石５を着脱する際には、被覆板５３に指等を係止することができるため、磁石収容部３２７への着脱を容易に行うことができる。
【００３５】
また、本実施形態では、磁石収容部３２７が、鍵本体３２１の前端面に開口している場合を例示したが、磁石収容部３２７の位置や形状、磁石収容部３２７の開口する位置等はここに例示したものに限定されない。
例えば、図４（ａ）及び図４（ｂ）に示すように、磁石収容部３２８は、鍵本体３２１の側部の一端面に開口する凹部であってもよい。
この場合には、鍵側磁石５６を鍵本体３２１側方から磁石収容部３２８内に嵌装する。
具体的には、例えば、鍵側磁石６を装着したい鍵３２の磁石収容部３２８が開口している側の隣に位置する鍵３２を押し下げることにより、磁石収容部３２８の開口部を露出させ、この開口部から鍵側磁石５６を磁石収容部３２８内に挿入する。
なお、この場合には、鍵側磁石５６は、磁石収容部３２８内に嵌装した状態において、磁石収容部３２８の開口側に配置される面が鍵本体３２１の側面とほぼ面一となるか、鍵本体３２１の側面よりもやや内側に入り込む程度の大きさ・形状であることが好ましい。
このように、磁石収容部３２８を、鍵本体３２１の側部に開口する凹部とした場合には、隣に位置する鍵３２を押し下げるだけで容易に鍵側磁石６の着脱を行うことができる。
【００３６】
［第２の実施形態］
次に、図５（ａ）及び図５（ｂ）を参照しつつ、本発明に係る鍵盤装置及びこれを備える電子鍵盤楽器の第２の実施形態について説明する。なお、本実施形態は、磁石収容部及びこれに嵌装される鍵側磁石の構成のみが第１の実施形態と異なるものであるため、以下においては、特に第１の実施形態と異なる点について説明する。
【００３７】
図５（ａ）は、本実施形態に係る鍵盤装置の要部断面図であり、図５（ｂ）は、鍵の斜視図である。
【００３８】
図５（ａ）及び図５（ｂ）に示すように、本実施形態における磁石収容部３２９は、鍵３２の上面に形成された凹部である。
なお、図５（ｂ）では、白鍵３２ａのみに磁石収容部３２９が設けられている場合を図示しているが、黒鍵３２ｂにも同様の磁石収容部３２９が設けられていてもよい。
磁石収容部３２９の内部には、第１の磁石としての磁石部６２とこれを収容する筐体６１とを備える鍵側磁石６が収容されている。
鍵側磁石６は、磁石収容部３２９内に嵌装した状態において、上側に配置される面が鍵本体３２１の上面とほぼ面一となる大きさ・形状であることが好ましい。
なお、演奏中に鍵側磁石６ががたついたりずれたりしないように、磁石収容部３２９の底面と、これに対応する鍵側磁石６の外側面等に鍵側磁石６を固定するための係止部材等が設けられていてもよい。係止部材は、例えばフック状のものであってもよいし、雄雌の起毛群よりなる面ファスナー（例えば、マジックテープ（登録商標）、ベロクロファスナー）等であってもよい。
【００３９】
なお、その他の構成は、第１の実施形態と同様であることから、同一部材には同一の符号を付して、その説明を省略する。
【００４０】
次に、本実施形態における鍵盤装置及びこれを備える電子鍵盤楽器の作用について説明する。
まず、第１の実施形態と同様に、複数の鍵３２を鍵盤シャーシ３１の鍵支持部３１１に固定し、各鍵３２の磁石収容部３２９に上側から鍵側磁石６を嵌装する。このとき、低音側の鍵３２ほど磁力による反発力の強い鍵側磁石６を嵌装し、高音側の鍵３２ほど磁力による反発力の弱い鍵側磁石６を嵌装する。磁石収容部３２９及び鍵側磁石６に係止部材が設けられている場合には、当該係止部材により磁石収容部３２９に鍵側磁石６を係止する。
鍵側磁石６を磁石収容部３２９から取り外す際は、係止部材による係止を解除して鍵側磁石６を上方向に取り出す。
【００４１】
上記のように、各鍵３２の磁石収容部３２９に、低音側の鍵３２ほど磁力による反発力の強い鍵側磁石６を嵌装し、高音側の鍵３２ほど磁力による反発力の弱い鍵側磁石６を嵌装することにより、本実施形態の電子鍵盤楽器は、アコースティックのピアノと同様に、低音側の鍵３２ほど重く、高音側の鍵３２ほど軽い鍵タッチ感（演奏者が指に感じる荷重）を得ることができる。
【００４２】
なお、その他の点については、第１の実施形態と同様であることから、その説明を省略する。
【００４３】
以上のように、本実施形態によれば、第１の実施形態と同様の効果を得られる他、以下の効果を得ることができる。
すなわち、本実施形態では、磁石収容部３２９が鍵３２の上面に形成されている。
このため、鍵側磁石６を鍵３２の上方から着脱することができ、鍵３２の鍵タッチ感を容易に調整することができる。
【００４４】
なお、磁石収容部３２９の形状や鍵側磁石６の形状は、ここに例示したものに限定されない。
例えば、図６に示すように、磁石収容部３３１を鍵本体３２１の上面に開口し深く形成された凹部とし、鍵側磁石８を、この磁石収容部３３１に沿う形状の筐体８１とこの筐体８１内にほぼ水平（図６における水平）に収容配置された板状の磁石部８２で構成してもよい。
この場合、鍵側磁石８は、磁石収容部３３１内に嵌装した状態において、上側に配置される面が鍵本体３２１の上面とほぼ面一となる大きさ・形状であることが好ましい。
【００４５】
なお、鍵側磁石８を、図６に示すような構成とした場合、筐体８１内における磁石部８２の上下方向（図６における上下方向）の位置を変更可能とすることにより、鍵盤シャーシ３１側のシャーシ側磁石４との間での磁力による反発力を調整可能としてもよい。
すなわち、磁石部８２を筐体８１内の底面近くに配置した場合には、シャーシ側磁石４との距離が近接し、磁力による反発力は強くなる。また、磁石部８２を筐体８１内の上面近くに配置した場合には、シャーシ側磁石４との距離が離間し、磁力による反発力は弱くなる。
このため、筐体８１内における磁石部８２の上下方向の位置を適宜調整することによって、１種類の鍵側磁石８であってもシャーシ側磁石４との間で複数段階の反発力を生じさせることができ、鍵３２の鍵タッチ感を自在に調整することができる。
なお、この場合には、磁石部８２の位置がずれないように、磁石部８２を筐体８１の内側面に係止するための係止部材（例えば面ファスナー等）を設けることが好ましい。
【００４６】
［第３の実施形態］
次に、図７（ａ）から図７（ｄ）及び図８（ａ）から図８（ｄ）を参照しつつ、本発明に係る鍵盤装置及びこれを備える電子鍵盤楽器の第３の実施形態について説明する。なお、本実施形態は、磁石収容部及びこれに嵌装される鍵側磁石の構成のみが第１の実施形態等と異なるものであるため、以下においては、特に第１の実施形態等と異なる点について説明する。
【００４７】
図７（ａ）から図７（ｄ）は、本実施形態における鍵側磁石の斜視図であり、図８（ａ）から図８（ｄ）は、本実施形態に係る鍵盤装置の要部断面図である。
【００４８】
図７（ａ）から図７（ｄ）に示すように、本実施形態における鍵側磁石７は、ほぼ直方体形状の筐体７１の内部に板状の磁石部７２を収容したものである。
なお、鍵側磁石７は、磁石収容部３３１内に嵌装した状態において、上側に配置される面が鍵本体３２１の上面とほぼ面一となる大きさ・形状であることが好ましい。
図８（ａ）から図８（ｄ）に示すように、鍵盤装置３の複数の鍵３２には、ほぼ同じ位置に磁石収容部３３１が配置されており、第１の磁石である鍵側磁石７は、磁石収容部３３１内における収容位置を変えることで低音側の鍵ほど磁力による反発力が強く、高音側ほど磁力による反発力が弱くなるように調整される。
【００４９】
具体的には、磁石収容部３３１は鍵本体３２１の上面に開口し深く形成された凹部であり、鍵側磁石７の筐体７１は、この磁石収容部３３１に沿う形状となっている。
鍵側磁石７は、上下（図８（ａ）から図８（ｄ）における上下）及び前後（図８（ａ）から図８（ｄ）における左右）を反転させても磁石収容部３３１に嵌装することが可能となっている。
また、筐体７１内には、筐体７１の上下方向（図８（ａ）から図８（ｄ）における上下方向）の寸法のほぼ半分程度の高さ寸法の板状の磁石部７２が、筐体７１の内部であって底面側又は上面側の一側面に接するように、すなわち、筐体７１の内部の上下いずれかの角部に接して収容配置されている。
本実施形態では、磁石部７２は接着材等により、筐体７１内の所定位置に固定されている。
【００５０】
図８（ａ）から図８（ｄ）に示すように、本実施形態では、シャーシ側磁石４が磁石収容部３３１の真下よりもわずかに鍵盤装置３の手前側（図８（ａ）から図８（ｄ）における右側）にずれた位置に配置されている。
この場合に、図７（ａ）及び図８（ａ）に示すように、磁石部７２が筐体７１内の下側（図７（ａ）及び図８（ａ）における下側）であって手前側（図７（ａ）及び図８（ａ）における右側）に位置する向きで、鍵側磁石７を磁石収容部３３１に収容すると、鍵側磁石７とシャーシ側磁石４との間の距離が近くなり、磁力による反発力が強くなる。
また、図７（ｂ）及び図８（ｂ）に示すように、磁石部７２が筐体７１内の下側（図７（ｂ）及び図８（ｂ）における下側）であって奥側（図７（ｂ）及び図８（ｂ）における左側）に位置する向きで、鍵側磁石７を磁石収容部３３１に収容すると、鍵側磁石７とシャーシ側磁石４との間の距離が、図７（ａ）及び図８（ａ）における場合よりも遠くなり、磁力による反発力はわずかに弱くなる。
さらに、図７（ｃ）及び図８（ｃ）に示すように、磁石部７２が筐体７１内の上側（図７（ｃ）及び図８（ｃ）における上側）であって手前側（図７（ｃ）及び図８（ｃ）における右側）に位置する向きで、鍵側磁石７を磁石収容部３３１に収容すると、鍵側磁石７とシャーシ側磁石４との間の距離が、図７（ｂ）及び図８（ｂ）における場合よりも遠くなり、磁力による反発力はさらに弱くなる。
また、図７（ｄ）及び図８（ｄ）に示すように、磁石部７２が筐体７１内の上側（図７（ｄ）及び図８（ｄ）における上側）であって奥側（図７（ｄ）及び図８（ｄ）における左側）に位置する向きで、鍵側磁石７を磁石収容部３３１に収容すると、鍵側磁石７とシャーシ側磁石４との間の距離が、図７（ｃ）及び図８（ｃ）における場合よりもさらに遠くなり、磁力による反発力は最も弱い状態となる。
【００５１】
なお、その他の構成は、第１の実施形態等と同様であることから、同一部材には同一の符号を付して、その説明を省略する。
【００５２】
次に、本実施形態における鍵盤装置及びこれを備える電子鍵盤楽器の作用について説明する。
まず、第１の実施形態等と同様に、複数の鍵３２を鍵盤シャーシ３１の鍵支持部３１１に固定し、各鍵３２の磁石収容部３３１に上側から鍵側磁石７を嵌装する。このとき、低音側の鍵３２ほど磁力による反発力が強くなるように鍵側磁石７を嵌装し、高音側の鍵３２ほど磁力による反発力が弱くなるように鍵側磁石７を嵌装する。
【００５３】
本実施形態では１種類の鍵側磁石７によって、磁力による反発力を４段階に調整することが可能である。
このため、例えば鍵盤装置３に設けられる鍵３２を４つのブロックに分けて、最低音側に位置するブロックに属する鍵３２には図７（ａ）及び図８（ａ）に示す向きで鍵側磁石７を磁石収容部３３１に収容し、次のブロックに属する鍵３２には図７（ｂ）及び図８（ｂ）に示す向きで鍵側磁石７を磁石収容部３３１に収容し、その次のブロックに属する鍵３２には図７（ｃ）及び図８（ｃ）に示す向きで鍵側磁石７を磁石収容部３３１に収容し、最高音側に位置するブロックに属する鍵３２には図７（ｄ）及び図８（ｄ）に示す向きで鍵側磁石７を磁石収容部３３１に収容する。
これにより、低音側の鍵３２から高音側の鍵３２にいくにしたがって段階的に磁力による反発力が弱くなる。
なお、磁力の異なる磁石部７２が収容された鍵側磁石７を複数種類備えた場合には、磁力による反発力をさらに複数段階に調整することができる。
この場合には、例えば最低音側の鍵３２には、最も磁力の強い磁石部７２を備える鍵側磁石７を図７（ａ）及び図８（ａ）に示す向きで磁石収容部３３１に収容する。また、最高音側の鍵３２には、最も磁力の弱い磁石部７２を備える鍵側磁石７を図７（ｄ）及び図８（ｄ）に示す向きで磁石収容部３３１に収容する。
【００５４】
上記のように、各鍵３２の磁石収容部３３１に、低音側の鍵３２ほど磁力による反発力が強くなるように鍵側磁石７を嵌装し、高音側の鍵３２ほど磁力による反発力が弱くなるように鍵側磁石７を嵌装することにより、本実施形態の電子鍵盤楽器は、アコースティックのピアノと同様に、低音側の鍵３２ほど重く、高音側の鍵３２ほど軽い鍵タッチ感（演奏者が指に感じる荷重）を得ることができる。
【００５５】
なお、その他の点については、第１の実施形態等と同様であることから、その説明を省略する。
【００５６】
以上のように、本実施形態によれば、第１の実施形態等と同様の効果を得られる他、以下の効果を得ることができる。
すなわち、本実施形態では、磁石収容部３３１は複数の鍵３２のほぼ同じ位置に配置されており、第１の磁石である鍵側磁石７は、磁石収容部３３１内における収容位置（本実施形態では鍵側磁石７を磁石収容部３３１に嵌装する際の装着向き）を変えることで低音側の鍵３２ほど磁力による反発力が強く、高音側の鍵３２ほど磁力による反発力が弱くなるように調整することができる。
このため、鍵側磁石７を複数種類用意しなくても、鍵側磁石７の装着向きを変えるだけで鍵タッチ感（演奏者が指に感じる荷重）を複数段階に調整することができる。
これにより、鍵側磁石７の生産性を向上させることができ、装置コストを下げることができる。
【００５７】
なお、上記実施形態では、磁石部７２が筐体７１内の所定位置に固定されている場合を例示したが、磁石部７２を筐体７１内の複数の位置に移動可能に構成してもよい。
この場合には、鍵側磁石７の上下（図８（ａ）から図８（ｄ）における上下）及び前後（図８（ａ）から図８（ｄ）における左右）の形状を同じにする必要がなく、鍵側磁石７の形状の自由度が増す。
なお、この場合には、磁石部７２の位置がずれないように、磁石部７２を筐体７１の内側面に係止するための係止部材（例えば面ファスナー等）を設けることが好ましい。
【００５８】
また、上記実施形態では、鍵側磁石７が四角柱形状である場合を例示したが、鍵側磁石７の形状はこれに限定されない。
鍵側磁石を例えば六角柱形状や八角柱形状等、さらに多角形状とした場合には、鍵側磁石の装着向きによって筐体内部における磁石部の位置をさらに細かく変更することができ、１種類の鍵側磁石によって、より複数段階に磁力による反発力を調整可能となる。
【００５９】
［第４の実施形態］
次に、図９（ａ）及び図９（ｂ）を参照しつつ、本発明に係る鍵盤装置及びこれを備える電子鍵盤楽器の第４の実施形態について説明する。なお、本実施形態は、磁石収容部及びこれに嵌装される鍵側磁石の構成のみが第１の実施形態等と異なるものであるため、以下においては、特に第１の実施形態等と異なる点について説明する。
【００６０】
図９（ａ）及び図９（ｂ）は、本実施形態に係る鍵盤装置における鍵の斜視図であり、図９（ａ）は、鍵側磁石を磁石収容部に装着する前の状態を示し、図９（ｂ）は、鍵側磁石を磁石収容部に装着した状態を示している。
【００６１】
図９（ａ）及び図９（ｂ）に示すように、本実施形態における磁石収容部３３２は、鍵３２の上面に形成された凹部である。
磁石収容部３３２は、側面視において鍵本体３２１の手前側から奥側に向かって緩やかに傾斜するＶ字状に形成されている。
【００６２】
鍵側磁石９は、磁石収容部３３２の形状に沿うように、側面視においてほぼ楔形に形成されている。
鍵側磁石６の上側に配置される面は、鍵側磁石９を磁石収容部３３２に装着した際に鍵本体３２１の上面とほぼ面一となることが好ましい。
なお、演奏中に鍵側磁石９ががたついたりずれたりしないように、磁石収容部３３２の底面と、これに対応する鍵側磁石９の下側面等に鍵側磁石９を固定するための係止部材等が設けられていてもよい。係止部材は、例えばフック状のものであってもよいし、雄雌の起毛群よりなる面ファスナー（例えば、マジックテープ（登録商標）、ベロクロファスナー）等であってもよい。
【００６３】
なお、その他の構成は、第１の実施形態等と同様であることから、同一部材には同一の符号を付して、その説明を省略する。
【００６４】
次に、本実施形態における鍵盤装置及びこれを備える電子鍵盤楽器の作用について説明する。
まず、第１の実施形態等と同様に、複数の鍵３２を鍵盤シャーシ３１の鍵支持部３１１に固定する。
そして、鍵タッチ感を調整する場合には、各鍵３２の磁石収容部３３２に上側から鍵側磁石９を嵌装する。このとき、低音側の鍵３２ほど磁力による反発力の強い鍵側磁石９を嵌装し、高音側の鍵３２ほど磁力による反発力の弱い鍵側磁石９を嵌装する。磁石収容部３３２及び鍵側磁石９に係止部材が設けられている場合には、当該係止部材により磁石収容部３３２に鍵側磁石９を係止する。
鍵側磁石９を磁石収容部３３２から取り外す際は、係止部材による係止を解除して鍵側磁石９を上方向に取り出す。
【００６５】
上記のように、各鍵３２の磁石収容部３３２に、低音側の鍵３２ほど磁力による反発力の強い鍵側磁石９を嵌装し、高音側の鍵３２ほど磁力による反発力の弱い鍵側磁石９を嵌装することにより、本実施形態の電子鍵盤楽器は、アコースティックのピアノと同様に、低音側の鍵３２ほど重く、高音側の鍵３２ほど軽い鍵タッチ感（演奏者が指に感じる荷重）を得ることができる。
また、付け爪等により指の爪が長い演奏者が演奏を行う場合には、磁石収容部３３２に鍵側磁石９を装着していない状態で演奏を行う。
この場合には、爪先が凹部内に収まり、爪が長い場合でも演奏の妨げにならないようにすることができる。
【００６６】
なお、その他の点については、第１の実施形態等と同様であることから、その説明を省略する。
【００６７】
以上のように、本実施形態によれば、第１の実施形態等と同様の効果を得られる他、以下の効果を得ることができる。
すなわち、本実施形態では、磁石収容部３３２として、鍵本体３２１の上面に鍵本体３２１の手前側から奥側に向かって傾斜する凹部を設けている。
これにより、磁石収容部３３２に鍵側磁石９を装着していない状態では、演奏者の指の爪が伸びていたり付け爪をしている等により長い場合でも、爪が凹部である磁石収容部３３２内に収まるため、付け爪等をした爪の長い状態でも爪が演奏の妨げとならず、通常の手姿勢のまま円滑な演奏を行うことができる。
【００６８】
なお、磁石収容部３３２に装着される鍵側磁石９の形状はここに例示したものに限定されない。
例えば、図１０（ａ）及び図１０（ｂ）に示すように、鍵側磁石９０は、鍵本体３２１の上面を覆うシート部材９１と、このシート部材９１の下面に設けられ、磁石収容部３３２の形状に沿うように側面視においてほぼ楔形に形成された磁石部９２とで構成されていてもよい。
シート部材９１は、鍵本体３２１の上面と同様の触感を有する材料で形成されていてもよいし、触感の異なる各種材料で形成されたものが複数種類用意されていて演奏者（ユーザ）がその中から好みの触感のものを選択できるようにしてもよい。この場合、各鍵３２ごとに異なる触感となるように演奏者の好みに応じてアレンジすることも可能である
【００６９】
なお、シート部材９１と磁石部９２とは一体的に形成されていてもよいし、別体となっていてもよい。
両者を別体とした場合には、図９（ａ）及び図９（ｂ）に示すような鍵側磁石９である磁石部を磁石収容部３３２に装着した後、演奏者（ユーザ）が好みの材料で形成されたシート部材９１を鍵本体３２１の上面に乗せることで磁石収容部３３２及びこれに装着される鍵側磁石９をシート部材９１によって覆い隠す。
なお、この場合には、演奏中にシート部材９１がずれたりしないように、シート部材９１の裏面等にシート部材９１を固定するための係止部材等が設けられていてもよい。係止部材は、例えば仮止め可能な両面テープ等が適用可能である。
【００７０】
［第５の実施形態］
次に、図１１（ａ）及び図１１（ｂ）を参照しつつ、本発明に係る鍵盤装置及びこれを備える電子鍵盤楽器の第５の実施形態について説明する。なお、本実施形態は、鍵を照明する構成を有する点が第４の実施形態と異なるものであるため、以下においては、特に第４の実施形態と異なる点について説明する。
【００７１】
図１１（ａ）及び図１１（ｂ）は、本実施形態に係る鍵盤装置における鍵の断面図であり、図１１（ａ）は、押鍵前の状態を示し、図１１（ｂ）は、押鍵時の状態を示している。
【００７２】
図１１（ａ）及び図１１（ｂ）に示すように、各鍵３２の上面には、磁石収容部３３２として、第４の実施形態と同様、側面視において鍵本体３２１の手前側から奥側に向かって緩やかに傾斜するＶ字状に形成された凹部が設けられている。
磁石収容部３３２内には、光を分散・屈折・全反射・複屈折させるための光学部材が嵌め込まれている。
本実施形態では、磁石収容部３３２内であって鍵本体３２１の手前側から奥側に向かって傾斜する傾斜面に光学部材としてのプリズム３６が嵌め込まれている。
【００７３】
鍵３２の下方であって光学部材としてのプリズム３６に対応する位置には、ＬＥＤ（light emitting diode）等で構成される光源３５が配置されている。また、光源３５とプリズム３６との間には、プリズム３６に入射する光を絞るスリット部材３５１が配置されている。
光源３５が点灯し光が照射されると、当該光がスリット部材３５１を介してプリズム３６に入射する。光はプリズム３６により分散・屈折・全反射・複屈折して磁石収容部３３２内を照明する。
これにより、磁石収容部３３２内に演奏者（ユーザ）の指の爪Ｔが配置されている場合には、プリズム３６により分散・屈折等された光によって爪Ｔが照明される。
なお、光源３５の下側に、各光源３５からの光のうち、下方に向かう光を反射するリフレクタ等を設けて、光源３５から照射された光を上方向に集める構成としてもよい。
また、各鍵３２を形成する材料は特に限定されないが、光を透過させない光非透過性の材料で各鍵３２を形成することにより、プリズム３６の先に配置されている爪Ｔにのみ光を照射することが可能となる。
【００７４】
なお、鍵タッチ感を調整する際には、第４の実施形態と同様に、磁石収容部３３２の形状に沿うように側面視においてほぼ楔形に形成された図示しない鍵側磁石が、磁石収容部３３２に装着される。
【００７５】
なお、その他の構成は、第４の実施形態等と同様であることから、同一部材には同一の符号を付して、その説明を省略する。
【００７６】
次に、本実施形態における鍵盤装置及びこれを備える電子鍵盤楽器の作用について説明する。
まず、第４の実施形態等と同様に、複数の鍵３２を鍵盤シャーシ３１の鍵支持部３１１に固定する。
そして、鍵タッチ感を調整する場合には、各鍵３２の磁石収容部３３２に上側から鍵側磁石を嵌装する。このとき、低音側の鍵３２ほど磁力による反発力の強い鍵側磁石を嵌装し、高音側の鍵３２ほど磁力による反発力の弱い鍵側磁石を嵌装する。磁石収容部３３２及び鍵側磁石に係止部材が設けられている場合には、当該係止部材により磁石収容部３３２に鍵側磁石を係止する。
鍵側磁石を磁石収容部３３２から取り外す際は、係止部材による係止を解除して鍵側磁石９を上方向に取り出す。
【００７７】
上記のように、各鍵３２の磁石収容部３３２に、低音側の鍵３２ほど磁力による反発力の強い鍵側磁石を嵌装し、高音側の鍵３２ほど磁力による反発力の弱い鍵側磁石を嵌装することにより、本実施形態の電子鍵盤楽器は、アコースティックのピアノと同様に、低音側の鍵３２ほど重く、高音側の鍵３２ほど軽い鍵タッチ感（演奏者が指に感じる荷重）を得ることができる。
【００７８】
また、付け爪等により指の爪Ｔが長い演奏者が演奏を行う場合には、磁石収容部３３２に鍵側磁石を装着していない状態で演奏を行う。
この場合には、爪Ｔが凹部内に収まり、爪Ｔが長い場合でも演奏の妨げにならないようにすることができる。
このように磁石収容部３３２に鍵側磁石を装着していない状態で演奏を行う場合には、光源３５を点灯させることにより、磁石収容部３３２内に配置されている爪Ｔの照明を行う。
【００７９】
スリット部材３５１を介してプリズム３６に入射された光源３５からの光は分光され、プリズム３６の先にある爪Ｔに投影される。
このとき、磁石収容部３３２内のプリズム３６の形状や位置、光源３５であるＬＥＤやスリット部材３５１の位置を調整することにより、爪Ｔに投影される光を選択的に赤〜紫に設定することも可能であるし、特に色を選択せずに爪Ｔに虹色の光を投影させることも可能である。
爪Ｔに光が投影された状態で演奏者が鍵３２を押下すると、図１１（ａ）及び図１１（ｂ）に示すように、光源３５からの光がプリズム３６に入射される際の入射角度が変化する。そして、爪Ｔに投影される分光された光は、この入射角度の変化に応じて変化する。
この結果、演奏者が鍵３２を押離することにより、爪Ｔに投影される光を段階的に変化させることができ、例えば赤色から青色へと少しずつ変化させたり、虹色のパターンを変化させることが可能となる。
【００８０】
なお、その他の点については、第４の実施形態等と同様であることから、その説明を省略する。
【００８１】
以上のように、本実施形態によれば、第４の実施形態等と同様の効果を得られる他、以下の効果を得ることができる。
すなわち、本実施形態では、鍵３２の下方に光源３５を配置するとともに、磁石収容部３３２において、鍵本体３２１の手前側から奥側に向かって傾斜する傾斜面にプリズム３６を設けている。
これにより、磁石収容部３３２に鍵側磁石９を装着していない状態では、演奏者の爪Ｔを、プリズム３６を介して照射される光によって照明することができ、演奏の際に、光による変化に富んだ演出を行うことができる。
また、光非透過性の材料で各鍵３２を形成することにより、プリズム３６の先に配置されている爪Ｔにのみ光を照射することが可能となり、演奏することで自分の爪Ｔが光るため、楽しく演奏することができるとともに、鍵３２を押下したことを視覚的にも認識することができる。
また、プリズム３６を介して光を照射することにより、鍵３２を押すことで爪Ｔに照射される光を変化させたり、きらきらと虹色に光らせたりすることができ、演奏をより楽しむことができる。
【００８２】
なお、磁石収容部３３２内に設けられるプリズムの形状は、図示例に限定されない。
例えば、図１２に示すように、光学部材として表面に凹凸が形成されたプリズム３７を適用することにより、鍵３２を押すと光源３５からプリズム３７に入射する光がより複雑に分散・屈折して磁石収容部３３２内の爪Ｔに投影される光をきらきらと変化させながら輝かせることも可能となる。
例えば、図１３に示すように、シート状のレンズやプリズム等であるシート部材３８を磁石収容部３３２内に設け、このシート部材３８を介して爪Ｔにのみ光が照射されるように構成してもよい。
また、光学部材は、光源３５からの光を分散・屈折等させて、鍵３２の押離動作に応じて変化に富んだ光の演出を創出することのできるものであればよく、プリズムに限定されない。
【００８３】
また、鍵タッチ感を調整する際に磁石収容部３３２内に装着される鍵側磁石は、第４の実施形態において例示したもの（すなわち、図９（ａ）及び図９（ｂ）に図示したもの）に限定されない。
例えば、鍵側磁石は、図１０（ａ）及び図１０（ｂ）に示したようなシート部材を備えるものでもよい。
また、例えば、図１４に示すように、筐体９３に磁石部９４が収容された鍵側磁石９５を磁石収容部３３２内に装着してもよい。
【００８４】
なお、以上本発明の実施形態について説明したが、本発明は、かかる実施形態に限定されず、その要旨を逸脱しない範囲で、種々変形が可能であることは言うまでもない。
【００８５】
例えば、上記各実施形態では、鍵３２のうち、白鍵３２ａの後端部に屈曲部３２２を介して共通連結部３２３ａを設け、黒鍵３２ｂの後端部に屈曲部３２２を介して共通連結部３２３ｂを設け、白鍵３２ａの共通連結部３２３ａを黒鍵３２ｂの共通連結部３２３ｂを重ね合わせて鍵盤シャーシ３１の鍵支持部３１１上に取り付けるように構成した場合について説明したが、複数の鍵３２を鍵盤シャーシ３１に取り付ける構成はこれに限定されない。
例えば、鍵盤シャーシ３１の鍵支持部３１１上に支持軸を設け、この支持軸に複数の白鍵３２ａおよび複数の黒鍵３２ｂの各後端部をそれぞれ回転可能に取り付けることにより、各鍵３２がそれぞれ独立して上下方向に回転するように構成してもよい。
【００８６】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
鍵盤シャーシと、
前記鍵盤シャーシに上下方向に搖動可能に取り付けられた複数の鍵と、
前記複数の鍵それぞれに設けられ、第１の磁石を着脱自在に収容可能な磁石収容部と、
前記磁石収容部の下方に配置され、前記第１の磁石と磁力により相互に反発し合う第２の磁石と、
を有していることを特徴とする鍵盤装置。
＜請求項２＞
前記複数の鍵の前記磁石収容部に収容される前記第１の磁石は、低音側の鍵ほど磁力による反発力が強く、高音側ほど磁力による反発力が弱くなるように配置されていることを特徴とする、請求項１に記載の鍵盤装置。
＜請求項３＞
前記複数の鍵には、ほぼ同じ位置に前記磁石収容部が配置されており、
前記第１の磁石は、前記磁石収容部内における収容位置を変えることで低音側の鍵ほど磁力による反発力が強く、高音側ほど磁力による反発力が弱くなるように調整されることを特徴とする請求項２に記載の鍵盤装置。
＜請求項４＞
前記磁石収容部は、前記鍵の側面に開口を有する凹部であることを特徴とする請求項１から請求項３のいずれか一項に記載の鍵盤装置。
＜請求項５＞
前記磁石収容部は、前記鍵の上面に形成された凹部であることを特徴とする請求項１から請求項３のいずれか一項に記載の鍵盤装置。
＜請求項６＞
請求項１から請求項５のいずれか一項に記載の鍵盤装置と、
前記鍵盤を内部に収容する楽器ケースと、
を備えることを特徴とする電子鍵盤楽器。
【符号の説明】
【００８７】
３        鍵盤装置
４        シャーシ側磁石
５        鍵側磁石
３１      鍵盤シャーシ
３２      鍵
３５      光源
３６      プリズム
１００    電子鍵盤楽器
３２７    磁石収容部
【図１】
2015206955.tif 000003
【図２】
2015206955.tif 000004
【図３】
2015206955.tif 000005
【図４】
2015206955.tif 000006
【図５】
2015206955.tif 000007
【図６】
2015206955.tif 000008
【図７】
2015206955.tif 000009
【図８】
2015206955.tif 000010
【図９】
2015206955.tif 000011
【図１０】
2015206955.tif 000012
【図１１】
2015206955.tif 000013
【図１２】
2015206955.tif 000014
【図１３】
2015206955.tif 000015
【図１４】
2015206955.tif 000016